(57)【要約】【課題】上下方向の衝撃により収納された物品が破損する可能性を低減できる緩衝波ケースを提供する。【解決手段】筒部２Ａを有した物品２が横並びに複数収容されるよう個々を仕切る物品仕切部３１を有する物品仕切シート３Ａと、それら物品２をその長手方向両端側から被う両端被覆部３２を有する両端被覆シート３Ｂとを有すると共に、ケース体４の筒状空間４０内に、それら物品２の並び方向に沿って挿入される緩衝波ケース３において、両端被覆シート３Ｂが、上記両端被覆部３２と、物品仕切シート３Ａが載置される載置面３３ａを有する載置部３３と、載置部３３よりも下方に突出してケース体４の底面上に立ち、かつ載置部３３とケース体４の底面との間に空間５が形成される形で該載置部３３を支持する２つの支持脚部３４と、を有するよう１枚のシート材を折り曲げて形成された構造をなす。【選択図】図２
2014058342.tif 000002
【特許請求の範囲】
【請求項１】
筒部を有した物品が横並びに複数収容されるよう個々を仕切る物品仕切部を有する物品仕切シートと、それら物品をその長手方向両端側から被う両端被覆部を有する両端被覆シートとを有するとともに、ケース体の筒状空間内に、それら物品の並び方向に沿って挿入される緩衝波ケースであって、
前記両端被覆シートは、前記両端被覆部と、前記物品仕切シートが載置される載置面を有する載置部と、該載置部よりも下方に突出して前記ケース体の底面上に立ち、かつ該載置部と前記ケース体の底面との間に空間が形成されるようにして該載置部を支持する複数の支持脚部と、を有するよう１枚のシート材を折り曲げて形成された構造をなすことを特徴とする緩衝波ケース。
【請求項２】
前記両端被覆シートは、平坦な前記載置部の第一側とその逆の第二側にそれぞれ複数の折り曲げ部を同数ずつ形成する形で、前記両端被覆部と前記支持脚部とが形成されている請求項１に記載の緩衝波ケース。
【請求項３】
前記両端被覆シートは、平坦な前記載置部の第一側とその逆の第二側が第一の折目を形成する形で折り曲がり、さらにその先で該第一の折目とは異なる第二の折目を形成する形で折り曲がることにより、前記両端被覆部と前記支持脚部とが形成されている請求項２に記載の緩衝波ケース。
【請求項４】
前記両端被覆シートは、平坦な前記載置部から下方に折り曲がって上方に折り返す形で前記支持脚部が形成されるとともに、その上方に折り返された該支持脚部の先が前記載置部よりも上方に延出する形で前記両端被覆部が形成されている請求項３に記載の緩衝波ケース。
【請求項５】
前記両端被覆シートは、平坦な前記載置部から上方に折り曲がって下方に折り返す形で前記両端被覆部が形成されるとともに、その下方に折り返された該両端被覆部の先が前記載置部よりも下方に延出する形で前記支持脚部が形成されている請求項３に記載の緩衝波ケース。
【請求項６】
前記両端被覆部において、平坦な前記載置部から折り曲がった内側部位と、そこから折り返された外側部位との間に隙間が形成されるようそれら内側部位と外側部位とが非接着とされている請求項３ないし請求項５のいずれか１項に記載の緩衝波ケース。
【請求項７】
前記両端被覆部において、平坦な前記載置部から折り曲がった内側部位と、そこから折り返された外側部位とが互いに接着固定されている請求項３ないし請求項５のいずれか１項に記載の緩衝波ケース。
【請求項８】
請求項１に記載の緩衝波ケースの製造方法であって、
帯状の第一シート材を、前記物品仕切部を有するよう曲げ加工して、帯状に続く物品仕切シート材を形成する物品仕切シート材形成工程と、
前記両端被覆シートのもととなる前記第一シート材とは異なる帯状の第二シート材の、前記載置面となる面と、前記物品仕切シート材の物品収容面とは逆の下面とを接着して、接着シート体を形成するシート接着工程と、
形成された接着シート体を予め定められた長さで順次切断する切断工程と、
切断された接着シート体の、切断前に前記第二シート材であった部分を、前記載置部と前記両端被覆部と前記支持脚部とを有するよう曲げ加工して、両端被覆シートを形成する両端被覆シート形成工程と、
を有することを特徴とする緩衝波ケース製造方法。
【請求項９】
前記両端被覆シート形成工程は、切断された接着シート体の、切断前に前記第二シート材であった部分に対し、その幅方向中央を前記載置部とし、前記幅方向の両側にそれぞれ、該載置部の側から外側に向けて順次折り曲げを行っていくものである請求項８に記載の緩衝波ケース製造方法。
【請求項１０】
前記両端被覆シート形成工程は、切断された接着シート体の、切断前に前記第二シート材であった部分に対し、その幅方向中央を前記載置部とし、前記幅方向の両側にそれぞれ第一の折目を形成する形で折り曲げる第一折り曲げ工程と、さらにその第一の折目よりも前記幅方向の外側となる位置にそれぞれ第二の折目を形成する形で第一折り曲げ工程とは逆に折り曲げる第二折り曲げ工程と、を有する請求項８又は請求項９に記載の緩衝波ケース製造方法。
【請求項１１】
切断前の帯状の前記第二シート材における前記折目となる位置に対しそれぞれ、該折目に沿った折り曲げが容易となる曲げ容易化処理を行う曲げ容易化処理工程を、少なくとも前記切断工程より前に有する請求項８ないし請求項１０のいずれか１項に記載の緩衝波ケース製造方法。
【請求項１２】
前記曲げ容易化処理工程は、前記折目となる位置に対し切込みを入れる切込み形成工程である請求項１１に記載の緩衝波ケース製造方法。
【請求項１３】
請求項８ないし請求項１２のいずれか１項に記載の緩衝波ケース製造方法における各工程を実行する手段を有した緩衝波ケース製造装置。
【請求項１４】
請求項１ないし請求項７のいずれか１項に記載の緩衝波ケースが、ケース体の筒状空間内に、前記物品の並び方向に沿って挿入されていることを特徴とする物品収容ケース。
【発明の詳細な説明】
【技術分野】
【０００１】
本発明は、緩衝波ケース及びその緩衝波ケースを有して物品を収容する物品収容ケース、さらにはそれらの製造方法及び製造装置に関する。
【背景技術】
【０００２】
一般に、物品を収容するケースに必要とされる性能として、収納される物品を外部から与えられる衝撃から守ることがある。例えば医療用に使用されるアンプル等のように筒部を有した細長の容器は専用のケースに収納されて搬送される。ところが、コスト削減の目的もあって、こうしたケースには紙製の簡易な形態のものが用いられる場合がある。アンプルは元来破損しやすいものであるから、簡易な紙製の包装体のみでは搬送途中に受ける衝撃からアンプルを守ることは難しく、搬送途中に破損する恐れがある。
【０００３】
なお、収納された物品の破損を防止するケースは従来から提案されている。例えば、特許文献１には、アンプルの破損を防止するケース（包装容器）が開示されている。このケースでは、孔部や天蓋部、舌片部などの構造を設けて、アンプル等を確実に保持することが目指されている。
【先行技術文献】
【特許文献】
【０００４】
【特許文献１】特開２００５−２２５４９９号公報
【発明の概要】
【発明が解決しようとする課題】
【０００５】
しかしながら、上記特許文献１のケースの構造は複雑であり、製作の手間とコストがかかる可能性があるという問題がある。このため、十分な衝撃吸収性を有しつつ構造の簡易化・低コスト化を実現したケースの登場が望まれている。
【０００６】
ケース内の収容物あるいはケースに加わる衝撃を緩和する目的のために、ケースに収納された物品に外部からの衝撃が直接伝わらないように工夫することが好適である。例えばアンプルなどを収納する際の緩衝材として、波形緩衝材（緩衝波ケース）と呼ばれるものがある。波形緩衝材とは波状の形状によってアンプルなどの物品を挟んで収納し、その収納状態のままケース内に収容されるものである。波形緩衝材の場合、低コストで作成できる等の利点があるが、従来の波形緩衝材では、外部からの衝撃により収納されたアンプル等が破損する不具合が完全には解消できていない。
【０００７】
特に従来の波形緩衝材では構造上、横方向からの衝撃は波状の構造により緩和できると考えられるが、それと比較して上下方向からの衝撃には弱いとみなされる。特に下方からの衝撃は直接アンプルなどの物品に伝わってしまう場合がある。
【０００８】
本発明が解決しようとする課題は、上下方向の衝撃により収納された物品が破損する可能性を低減できる緩衝波ケース及びその緩衝波ケースを有して物品を収容する物品収容ケース、さらにはそれらの製造方法及び製造装置を提供することにある。
【課題を解決するための手段】
【０００９】
上記課題を解決するために本発明の緩衝波ケース（緩衝材）は、
筒部を有した物品が横並びに複数収容されるよう個々を仕切る物品仕切部を有する物品仕切シートと、それら物品をその長手方向両端側から被う両端被覆部を有する両端被覆シートとを有するとともに、ケース体の筒状空間内に、それら物品の並び方向に沿って挿入される緩衝波ケースであって、
両端被覆シートは、両端被覆部と、物品仕切シートが載置される載置面を有する載置部と、該載置部よりも下方に突出してケース体の底面上に立ち、かつ該載置部とケース体の底面との間に空間が形成されるようにして該載置部を支持する複数の支持脚部と、を有するよう１枚のシート材を折り曲げて形成された構造をなすことを特徴とする。
【００１０】
上記本発明は、物品を収納する緩衝波ケースの直下に空間が形成されるため、物品の下方向から衝撃が加えられた場合には、その衝撃が物品に直接伝達される可能性が低減される。また、緩衝波ケースの直下の空間は、載置部の下方で複数の支持脚部に挟まれる空間であるから、上下方向からの衝撃を受けた場合には、緩衝波ケースはこの空間に向けて撓む弾性変形が可能となり、衝撃を効果的に吸収することができる。また、本発明の緩衝波ケースは、２つのシート材の組み合わせにより構成され、その一方は、１枚のシートの折り曲げにより形成することができるから、構造がシンプルで、低コストに製造可能となる。
【００１１】
なお、本発明において、１枚のシート材を折り曲げて形成された構造とは、完成した１つの緩衝波ケースを取り出したときに、その緩衝波ケースの両端被覆シートが１枚のシート材を折り曲げて形成された構造になっているという意味であり、緩衝波ケースの製造が折り曲げ工程のみからなるという意味ではなく、他の工程が入っても当然よいものとする。例えば、帯状のシート材に対し上記の折り曲げを施す工程とともに、その後、折り曲げがなされたシート材を所定長さ単位で切断する切断工程が入っていてもよい。この場合、完成した緩衝波ケースを見れば、１枚のシート材を折り曲げて形成された構造になっている。
【００１２】
本発明の緩衝波ケースは、横並びに複数配置される筒部を有した物品を仕切る波形仕切部（物品仕切部）を有するよう１枚のシート材を折り曲げて形成された構造をなす波形緩衝シート（物品仕切シート）と、それら物品を長手方向両端側から被う両端被覆部を有するよう１枚のシート材を折り曲げて形成された構造をなす両端被覆シートとを有した構造とすることができる。この構成によれば、緩衝波ケースを、２枚のシートの折り曲げにより形成することができるから、構造がシンプルで、低コストに製造可能となる。
【００１３】
本発明の両端被覆シートは、平坦な前記載置部の第一側とその逆の第二側にそれぞれ複数の折り曲げ部を同数ずつ、さらには対称となる形で、前記両端被覆部と前記支持脚部とが形成される構造とすることができる。これにより、第一側と第二側でのバランスが取れるから、安定してケース体内に収容できる。
【００１４】
本発明の両端被覆シートは、平坦な前記載置部の第一側とその逆の第二側が第一の折目を形成する形で折り曲がり、さらにその先で該第一の折目とは異なる第二の折目を形成する形で折り曲がることにより、前記両端被覆部と前記支持脚部とが形成される構造とすることができる。これにより、シンプルな形で本発明の緩衝波ケースを形成でき、製造コストを抑えることができる。
【００１５】
具体的にいえば、本発明の両端被覆シートは、平坦な前記載置部から下方に折り曲がって上方に折り返す形で前記支持脚部が形成されるとともに、その上方に折り返された該支持脚部の先が前記載置部よりも上方に延出する形で前記両端被覆部が形成されるＷ型の構造とすることができる。また、本発明の前記両端被覆シートは、平坦な前記載置部から上方に折り曲がって下方に折り返す形で前記両端被覆部が形成されるとともに、その下方に折り返された該両端被覆部の先が前記載置部よりも下方に延出する形で前記支持脚部が形成されるＭ型の構造とすることができる。
【００１６】
本発明においては、両端被覆部において、平坦な前記載置部から折り曲がった内側部位と、そこから折り返された外側部位との間に隙間が形成されるようそれら内側部位と外側部位とが非接着とされるよう構成できる。これにより、内側部位と外側部位との間に隙間（空間）が形成されるから、衝撃吸収効果を追加できる。
【００１７】
他方、本発明においては、両端被覆部において、平坦な前記載置部から折り曲がった内側部位と、そこから折り返された外側部位とが互いに接着固定される構成としてもよい。これにより、緩衝波ケースの全体強度を増すことができ、ケース体内に安定して挿入・収容することができる。
【００１８】
本発明の緩衝波ケースの製造方法は、
帯状の第一シート材を、前記物品仕切部を有するよう曲げ加工して、帯状に続く物品仕切シート材を形成する物品仕切シート材形成工程と、
前記両端被覆シートのもととなる前記第一シート材とは異なる帯状の第二シート材の、前記載置面となる面と、前記物品仕切シート材の物品収容面とは逆の下面とを接着して、接着シート体を形成するシート接着工程と、
形成された接着シート体を予め定められた長さで順次切断する切断工程と、
切断された接着シート体の、切断前に前記第二シート材であった部分を、前記載置部と前記両端被覆部と前記支持脚部とを有するよう曲げ加工して、両端被覆シートを形成する両端被覆シート形成工程と、
を有することを特徴とする。
【００１９】
上記本発明の緩衝波ケース製造方法によれば、２つのシート材への曲げ加工により、緩衝波ケースを容易に形成することができる。
【００２０】
本発明における両端被覆シート形成工程は、切断された接着シート体の、切断前に前記第二シート材であった部分に対し、その幅方向中央を前記載置部とし、前記幅方向の両側にそれぞれ、該載置部の側から外側に向けて順次折り曲げを行っていくものとできる。この構成によれば、折り曲げが内側から外側に順次なされていく。中心の載置部を動かすことなく、その外側部位だけに曲げを施すだけでよいので、より単純な折り曲げ工程になる。
【００２１】
本発明における前記両端被覆シート形成工程は、切断された接着シート体の、切断前に前記第二シート材であった部分に対し、その幅方向中央を前記載置部とし、前記幅方向の両側にそれぞれ第一の折目を形成する形で折り曲げる第一折り曲げ工程と、さらにその第一の折目よりも前記幅方向の外側となる位置にそれぞれ第二の折目を形成する形で第一折り曲げ工程とは逆に折り曲げる第二折り曲げ工程と、を有するものとできる。この構成によれば、２つの折り曲げによるシンプルな緩衝波ケースを製造することができる。
【００２２】
本発明においては、切断前の帯状の前記第二シート材における前記折目となる位置に対しそれぞれ、該折目に沿った折り曲げが容易となる曲げ容易化処理を行う曲げ容易化処理工程を、少なくとも前記切断工程より前に有するよう構成できる。この曲げ容易化処理工程は、前記折目となる位置に対し切込みを入れる切込み形成工程とすることができる。ケース体に収容される単位に切断されてから個別に折り曲げられるため、帯状の構造体に折り曲げを施すよりも、折り曲げを安定して行うことができる。
【００２３】
本発明の緩衝波ケース製造装置は、上記本発明の緩衝波ケース製造方法における各工程を実行する手段を有した装置とすることができ、これにより、上記効果を達成できる製造装置となる。
【００２４】
本発明の物品収容ケースは、上記本発明の緩衝波ケースが、ケース体の筒状空間内に、前記物品の並び方向に沿って挿入されているものとすることができ、これにより、上記効果を達成できる物品収容ケースとなる。
【図面の簡単な説明】
【００２５】
【図１】本発明の第一実施形態をなす緩衝波ケースの平面図である。
【図２】図１に示す緩衝波ケースの斜視図である。
【図３】図１に示す緩衝波ケースの正面図（前面図）である。
【図４】図１に示す緩衝波ケースを収容した物品収容ケースの斜視図である。
【図５】図１に示す緩衝波ケースをケース体に収容し、ケース体の蓋部を開状態としたときの正面図である。
【図６】図１に示す緩衝波ケースをケース体に収容する過程を説明する図である。
【図７】本発明の第二実施形態をなす緩衝波ケースの平面図である。
【図８】図７に示す緩衝波ケースの斜視図である。
【図９】図７に示す緩衝波ケースの正面図（前面図）である。
【図１０】図７に示す緩衝波ケースを収容した物品収容ケースの斜視図である。
【図１１】図７に示す緩衝波ケースをケース体に収容し、ケース体の蓋部を開状態としたときの正面図である。
【図１２】図７に示す緩衝波ケースをケース体に収容する過程を説明する図である。
【図１３】緩衝波ケースの製造装置の一実施形態を簡略的に示す図である。
【図１４】第一実施形態の緩衝波ケースとなる第二シート材に対し形成される切込みを示す図である。
【図１５】第二実施形態の緩衝波ケースとなる第二シート材に対し形成される切込みを示す図である。
【図１６】仕切部形成機構及びシート材接着機構を簡略的に示す図である。
【図１７】図１に示す緩衝波ケースとなる接着シート体を示す図である。
【図１８】図７に示す緩衝波ケースとなる接着シート体を示す図である。
【図１９】物品供給機構を簡略的に示す図である。
【図２０】ラベル貼付機構及び物品収容機構を簡略的に示す図である。
【図２１】ラベル貼付機構の拡大図である。
【図２２】図１に示す緩衝波ケースの折り曲げ機構による折り曲げ手順を簡略的に示す図である。
【図２３】図７に示す緩衝波ケースの折り曲げ機構による折り曲げ手順を簡略的に示す図である。
【図２４】不良品排出手段を簡略的に示す図である。
【図２５】図１に示す緩衝波ケースのケース体への収容工程を説明する図である。
【図２６】図７に示す緩衝波ケースのケース体への収容工程を説明する図である。
【発明を実施するための形態】
【００２６】
以下、本発明の緩衝波ケース（緩衝材）、及び該緩衝波ケースを内包する物品収容ケースの実施形態を、図面を参照して説明する。
【００２７】
図１は本発明の第一実施形態をなす緩衝波ケース（緩衝材）の平面図であり、図２はその斜視図、図３はその正面図（前面図）である。図４は図１〜図３の緩衝波ケースを収容した物品収容ケース（以下、ケースと略する）の斜視図であり、図５は図１〜図３の緩衝波ケースをケース体に収容し、ケース体の蓋部を開状態としたときの正面図であり、図６は図１〜図３の緩衝波ケースをケース体に収容する過程を説明する図である。
【００２８】
物品収容ケース１は、図４，図５に示すように、筒部を有した物品２が横並びに複数収容される緩衝波ケース３と、内部に筒状空間４０を有するケース体４と、を備えて構成される。本実施形態の物品２は、細長の容器で、内部に液体が封入された容器であり、ここではアンプルとされており、枝部（図１上側）２Ａと筒部（図１下側）２Ｂとを有した形状をなす。
【００２９】
緩衝波ケース３とは、図１及び図２に示すように、細長の物品２が横並びに複数収容されるようそれら物品個々を仕切る物品仕切部３１を有する物品仕切シート３Ａと、それら物品２をその長手方向両端側から被う両端被覆部３２を有する両端被覆シート３Ｂとを有した構造をなす緩衝材である。本実施形態の緩衝波ケース３は、それら物品仕切シート３Ａと両端被覆シート３Ｂとが接着により一体化されている。そして一体化された物品仕切シート３Ａと両端被覆シート３Ｂとが緩衝波ケース３として、ケース体４の筒状空間４０内に収納される。
【００３０】
物品仕切シート３Ａは、図１及び図２に示すように、横並びに複数配置される物品２を仕切る物品仕切部３１として波形仕切部を有しており、１枚のシート材を折り曲げて形成された構造をなす波形緩衝シートである。つまり、物品仕切シート３Ａは、１枚の長方形状を有するシート状の部材が変形された形状となっており、物品仕切部３１は、山部３５と谷部３６とを交互に有するよう波形に湾曲している。この物品仕切シート３Ａは紙製であるから、紙が波形に湾曲変形されることにより物品仕切部３１は弾性を有する。この弾性によって物品２は物品仕切部３１内にて、横並び方向（以下、これを前後方向と称する）に安定して位置決めされ、ぐらつきが回避される。さらには、隣接する山部３５が、谷部３６に収容された物品２の上方にせり出してくるため、物品２は物品仕切部３１内にて、山部３５の弾性によって上方向に安定して位置決めされ、さらに谷部３６の底面（物品収容面）３６ａによって、下方向に安定して位置決めされ、ぐらつきが回避される。
【００３１】
両端被覆シート３Ｂは、図３に示すように、上記の両端被覆部３２と、物品仕切シート３Ａが載置される載置面３３ａを有する載置部３３と、該載置部３３よりも下方に突出してケース体４の底面４ｂ上に立ち、かつ該載置部３３とケース体４の底面４ｂとの間に空間５が形成されるようにして該載置部３３を支持する複数の支持脚部３４と、を有しており、１枚のシート材を折り曲げて形成された構造をなす。この両端被覆シート３Ｂも紙製であるから、紙が折り曲げ折り返しの構造とされることにより両端被覆部３２は弾性を有する。この弾性によって物品２は物品仕切部３１内で安定して位置決めされ、ぐらつきが回避される。
【００３２】
なお、上述した、１枚のシート材を折り曲げて形成された構造とは、完成した１つの緩衝波ケース３を取り出したときに、その緩衝波ケース３に用いられているシート３Ａ，３Ｂが、それぞれ１枚のシート材を折り曲げて形成された構造になっているという意味である。つまり、緩衝波ケース３の製造が折り曲げ工程のみからなるという意味ではなく、他の工程が入ってもよい。例えば、帯状のシート材に対し上記の折り曲げを施す工程とともに、その後、折り曲げがなされたシート材を所定長さ単位で切断する切断工程が入っていてもよい。切断後工程に、折り曲げが施されてもよい。どちらの場合でも、完成したものをみれば、１枚のシート材を折り曲げて形成された構造になっている。
【００３３】
本実施形態においては、図３に示すように、物品仕切シート３Ａの谷部３６の裏面（物品収容面３６ａとは逆の下面）３６ｂが、両端被覆シート３Ｂの載置面３３ａに固着されることによって、双方のシート３Ａ，３Ｂが一体化されている。ここでは、双方のシート３Ａ，３Ｂ（谷部３６の裏面３６ｂと載置面３３ａ）が、例えばホットメルト接着剤によって接着されている。
【００３４】
ホットメルトとは広く用いられている接着剤の一種であり、常温で固体の材料を加熱溶融化して流動化して塗布し、室温に冷却すると接着が完了する加工方法や、そうした加工方法で使用される材料を指す。ホットメルト接着剤の材質としては、ＥＶＡ（エチレン・酢酸ビニル共重合樹脂）等の熱可塑性樹脂を使用できる。
【００３５】
ところで、本実施形態の両端被覆シート３Ｂは、図３に示すように、平坦な載置部３３の第一側とその逆の第二側にそれぞれ複数の折り曲げ部を同数ずつ形成する形で、両端被覆部３２と支持脚部３４とが形成されている。ここでの両端被覆シート３Ｂは、平坦な載置部３３の第一側とその逆の第二側において対称となる形で、それら複数の折り曲げ部が形成されている。具体的にいえば、両端被覆シート３Ｂは、平坦な載置部３３の第一側とその逆の第二側が第一の折目３Ｂ１を形成する形で折り曲がり、さらにその先で該第一の折目３Ｂ１とは異なる第二の折目３Ｂ２を形成する形で折り曲がることにより、両端被覆部３２と支持脚部３４とが形成されている。
【００３６】
即ち、本実施形態の両端被覆シート３３は、図３に示すように、平坦な載置部３３から下方に折り曲がって上方に折り返す形で支持脚部３４，３４が形成されるとともに、その上方に折り返された該支持脚部３４，３４の先が載置部３３よりも上方に延出し、その先端部が両端被覆部３２，３２として形成されており、全体がＷ型をなす。
【００３７】
なお、両端被覆部３２及び支持脚部３４において、平坦な載置部３３から折り曲がった内側部位３８と、そこから折り返された外側部位３９との間に隙間８が形成されるようそれらの部位３８，３９が非接着とされているが、例えばホットメルト接着剤によって接着固定されていてもよい。
【００３８】
上記した構造を有する本実施形態の緩衝波ケース３は、図６に示すように、ケース体４の筒状空間４０内に、それら物品の並び方向に沿って、支持脚部３４の先端及び両端被覆部３２の先端を摺動させる形で挿入されている。ケース体４は、筒状空間４０を内部に形成する外周面部４５と、その前後端側の開口を被覆する蓋部４２と、を有する。またここでは、図５に示すように、蓋部４２は、外周面部４５のうちケース体４の幅方向に広がる主面を有する主面部４５ａ，４５ｂのうち一方の主面部４５ａから続く形で設けられており、さらにその先端側に、他方の主面部４５ｂの内側に差し込まれる差込部４３が設けられている。本実施形態では、図６に示すように、内側の折り曲げ部として形成される支持脚部３４，３４側の主面部４５ｂの内側に差込部４３が差し込まれている。また、外周面部４５のうちケース体４の厚み方向に広がる主面を有する左右側面部４５ｃ，４５ｃには、それぞれの主面に沿って蓋部４２側に延出するとともに蓋部４２が閉じられたときにはその蓋部４２の内側となるよう折り曲げられる折り曲げ部４１，４１が設けられている。
【００３９】
一方、図７は本発明の第二実施形態をなす緩衝波ケースの平面図である。図８は第二実施形態をなす緩衝波ケースの斜視図、図９はその正面図（前面図）である。図１０は図７〜図９の緩衝波ケースを収容した物品収容ケース（以下、ケースと略する）の斜視図であり、図１１は図７〜図９の緩衝波ケースをケース体に収容し、ケース体の蓋部を開状態としたときの正面図であり、図１２は図７〜図９の緩衝波ケースをケース体に収容する過程を説明する図である。
【００４０】
物品２とケース体４と緩衝波ケース３の物品仕切シート３Ａとの構成は、第一実施形態の物品収容ケース１と同様である。異なる部分は主に、緩衝波ケース３の両端被覆シート３Ｂである。第一実施形態と同様の構成については説明を略す。
【００４１】
第二実施形態における両端被覆シート３Ｂは、図９に示すように、平坦な載置部３３の第一側とその逆の第二側にそれぞれ複数の折り曲げ部を同数ずつ形成する形で、両端被覆部３２と支持脚部３４とが形成されている。ここでの両端被覆シート３Ｂは、平坦な載置部３３の第一側とその逆の第二側において対称となる形で、それら複数の折り曲げ部が形成されている。具体的にいえば、両端被覆シート３Ｂは、平坦な載置部３３の第一側とその逆の第二側が第一の折目３Ｂ１を形成する形で折り曲がり、さらにその先で該第一の折目３Ｂ１とは異なる第二の折目３Ｂ２を形成する形で折り曲がることにより、両端被覆部３２と支持脚部３４とが形成されている。
【００４２】
即ち、本実施形態の両端被覆シート３３は、図９に示すように、平坦な載置部３３から上方に折り曲がって下方に折り返す形で両端被覆部３２，３２が形成されるとともに、その上方に折り返された該両端被覆部３２，３２の先が載置部３３よりも上方に延出し、その先端部が支持脚部３４，３４として形成されており、全体がＭ型をなす。
【００４３】
なお、本実施形態においても、内側部位３８と外側部位３９との間に隙間８が形成されている。それらの部位３８，３９は非接着とされているが、接着固定されていてもよい。
【００４４】
上記した構造を有する本実施形態の緩衝波ケース３は、図１２に示すように、ケース体４の筒状空間４０内に、それら物品の並び方向に沿って挿入されている。ケース体４は、筒状空間４０を内部に形成する外周面部４５と、その前後端側の開口を被覆する蓋部４２と、を有する。またここでは、図１１に示すように、蓋部４２は、外周面部４５のうちケース体４の幅方向に広がる主面を有する主面部４５ａ，４５ｂのうち一方の主面部４５ａから続く形で設けられており、さらにその先端側に、他方の主面部４５ｂの内側に差し込まれる差込部４３が設けられている。本実施形態では、図１２に示すように、内側の折り曲げ部として形成される支持脚部３４，３４側の主面部４５ｂの内側に差込部４３が差し込まれている。また、外周面部４５のうちケース体４の厚み方向に広がる主面を有する左右側面部４５ｃ，４５ｃには、それぞれの主面に沿って蓋部４２側に延出するとともに蓋部４２が閉じられたときにはその蓋部４２の内側となるよう折り曲げられる折り曲げ部４１，４１が設けられている。
【００４５】
なお、上記双方の実施形態においては、図５及び図１１に示すように、内側部位３８と外側部位３９の間の隙間８は、緩衝波ケース３がケース体５内に収容された場合にも隙間幅を縮める形で存在する。また、ケース体５の左右側面部４５ｃ，４５ｃと、外側部位３９との間にも隙間９が存在する。
【００４６】
以下、本発明の緩衝波ケース（緩衝材）、及び該緩衝波ケースを内包する物品収容ケースの製造方法及び製造装置の実施形態を、図面を参照して説明する。
【００４７】
図１３は上記緩衝波ケース３の製造装置の一実施形態を簡略的に示す図である。その製造装置全体の中で、図１６は物品仕切部３１を形成する仕切部形成機構３０５及び２つのシート材を接着するシート材接着機構３０４を簡略的に示す図であり、図１９はラベル未貼付の物品２’を供給する物品供給機構２００を簡略的に示す図であり、図２０はラベル未貼付の物品２’にラベル２０を貼付するラベル貼付機構４０６及び物品仕切部３１間に物品２を収容させる物品収容機構３０１を簡略的に示す図である。図２１はラベル貼付機構４０６の拡大図である。図２２及び図２３は第一および第二実施形態の緩衝波ケース３の折り曲げ機構５００による折り曲げ手順を簡略的に示す図である。
【００４８】
図１３に示す緩衝波ケース製造装置１００は、帯状の第一シート材３００Ａを、予め定められた第一搬送経路３１０に沿って送り出す第一シート送出機構（第一シート送出手段）３１１と、送り出された第一シート材３００Ａを、物品仕切部３１を有するよう曲げ成形（ここでは波状に曲げ成形）して、物品仕切シート材３００Ａ’を形成する仕切部形成機構（物品仕切シート材形成手段：ここでは波状曲げ手段）３０５と、を有した物品仕切シート材形成ライン（物品仕切シート材形成工程）３１０と、第一シート材３００Ａとは異なる帯状の第二シート材３００Ｂを、予め定められた第二搬送経路に沿って送り出す第二シート送出機構（第二シート送出手段）３２１と、送り出された第二シート材３００Ｂにおいて後の折り曲げ処理によって折目３Ｂ１，３Ｂ２となる位置に対しそれぞれ、該折目３Ｂ１，３Ｂ２に沿った折り曲げが容易となる曲げ容易化処理を行う曲げ容易化処理手段３３０と、を有した両端被覆シート形成準備ライン３２０と、を有する。
【００４９】
第一及び第二シート送出機構３１１，３１２は、巻きつけられた帯状シート材３００Ａ，３００Ｂを巻き出すシート巻出部を主として有するとともに、さらに、巻き出された帯状に続くシート材３００Ａ，３００Ｂを各搬送経路３１０，３２０に沿った所定の送り方向へと送り出す搬送駆動手段（例えばシート材３００Ａ，３００Ｂをドライブローラとフリーローラとで挟圧し、回転駆動源をなすモータ等の回転駆動によりドライブローラを回転させることにより挟圧されたシート材３００Ａ，３００Ｂを所定方向に送り出す）と、送り出されるシート材３００Ａ，３００Ｂが各搬送経路３１０，３２０に沿って送り出されるよう経路上の各地点でガイドする搬送ガイド手段（フリーローラ）と、巻き出された帯状に続くシート材３００Ａ，３００Ｂを各搬送経路３１０，３２０に沿って送り出すための送出駆動手段（送出駆動部：モータ）と、送り出された帯状に続くシート材３００Ａ，３００Ｂに対し一定の張力を保持させる張力付与手段（例えば上記フリーローラの１つを、シート接触面側に（シート搬送方向に対し垂直に）押し付けるように移動させるローラ往復動機構等）と、等を有して構成される。これらの駆動制御は、図示しないマイコン等の主制御手段によってなされる。
【００５０】
また、各搬送経路３１０，３２０には、搬送経路３１０，３２０上の所定位置においてシート材３００Ａ，３００Ｂの有無を検知し、シート材３００Ａ，３００Ｂが確実に送り出されているか否かを特定可能とするシート有無検知部３１２，３２２と、シート材３００Ａ，３００Ｂが別のシート材に切り替わったときに生じるシート間のつなぎ目を検知するシートつなぎ目検知部３１２，３２２とが設けられており、それらの検知結果が上記主制御手段に入力される。ここでは、シート有無検知部とシートつなぎ目検知部とが兼用されたシート検知部３１２，３２２を有する。
【００５１】
また、搬送ライン３１０には、搬送経路３１０上の所定位置においてシート材３００Ａの所定面領域に所定間隔おきに印字処理を施す印字手段（例えば印字プリンタ）３１３と、印字処理が正常になされたか否かを検出する印字検査手段（例えばカメラ）３１４とが設けられており、印字検査の検査結果が上記主制御手段に入力される。
【００５２】
他方、搬送ライン３２０には、搬送経路３２０上の所定位置において折り曲げ機構３３０による折り曲げの前に、帯状の第二シート材３００Ｂにおける折目３Ｂ１，３Ｂ２となる位置に対しそれぞれ、該折目３Ｂ１，３Ｂ２に沿った折り曲げが容易となる曲げ容易化処理を行う曲げ容易化処理機構３０３として、折目３Ｂ１，３Ｂ２となる位置に対し切込み（ハーフカット）を入れる切込み形成機構が設けられている。
【００５３】
本実施形態の切込み形成機構３０３は、帯状の第二シート材３００Ｂの一方の主面を支持する支持面を有した支持部（フリーローラ）３３３，３３４と、その支持面上を通過する第二シート材３００Ｂの主面に対し直交方向に刃が入り、第二シート材３００Ｂがその支持面上を通過するに伴いその主面上に直線状の切込み（割線）３ｂ１を形成する刃部（割線刃）３３１，直線状の切込み３ｂ２を形成する刃部３３１，３３２とを有する。ここでの刃部３３１，３３２は、第二シート材３００Ｂの搬送方向に直交する回転軸周りを回転可能に配置された円形状の回転刃である。なお、第一刃部３３１及び第一支持部３３３と、第二刃部３２２及び第二支持部３３４とは、刃部３３１が第二シート材３００Ｂの第一側主面に切込み３ｂ１，３ｂ２を形成し、刃部３３２が第二シート材３００Ｂの第一側主面とは逆の第二側主面に切込みを形成するよう、第二シート材３００Ｂに対する双方の位置関係が逆とされている。また、切込み３ｂ１及び３ｂ２は、第二シート材３００Ｂの主面の幅方向の両側にそれぞれ形成されるので、刃部３３１も平行に２つ配置され、同時に切込みが入れられる（曲げ容易化工程）。
【００５４】
図１４は、上記第一実施形態の緩衝波ケース３となる第二シート材３００Ｂに対し形成される切込み３ｂ１，３ｂ２を示す図であり、図１５は、上記第二実施形態の緩衝波ケース３となる第二シート材に対し形成される切込み３ｂ１，３ｂ２を示す図である。符号３３’は後に載置部３３となる部位であり、符号３４’は後に支持脚部３４となる部位であり、符号３２’は後に両端被覆部３２となる部位である。符号３００Ｂ’は、切込み３ｂ１，３ｂ２が形成された後の第二シート材３００を示している。
【００５５】
なお、切込み形成機構３０３が形成する切込みは、第二シート材３００への折り曲げ（折目）の数に応じて形成すればよいが、第二シート材３００の外側から内側へと順に形成される。
【００５６】
搬送ライン３１０に戻る。第一シート材３００Ａは、印字処理及び印字検査後、仕切部形成機構３０５により物品仕切部３１が連続形成された波形シート材３００Ａ’となる。本実施形態の仕切部形成機構３０５は、図１６に示すように、外周面に所定間隔おきに凹部３５８が連続形成され、第一シート材３００Ａの搬送速度に合わせて回転する波形ドラム３５９と、波形成形ドラム３５９と回転速度を合わせて回転するとともにその外周側に径方向外向きに付勢された付勢押込み部３５１を所定間隔おきに連続して有した押込みドラム３５０とを、互いの一部の外周区間を近接対向するよう配置している。第一シート材３００Ａは、その近接対向区間において、波形ドラム３５９と押込みドラム３５０の間を通過する。
【００５７】
その近接対向区間を通過する第一シート材３００Ａは、押込みドラム３５０の付勢押込み部３５１により波形ドラム３５９の凹部３５８内に押し込まれ、押し込まれた状態のまま搬送されていく。これにより、波形の物品仕切部３１の基本形状である山部３５と谷部３６とが湾曲形成される。その後、その近接対向区間を通過すると、第一シート材３００Ａの押し込み先は、押込みドラム３５０の外周側に設けられた外周側ガイド部３５７の内周面に引き継がれるが、そのガイド部３５７の内周面は、押込みドラム３５０の回転が進むに従い径方向内側に位置するよう滑らかに湾曲した形状を有しているため、徐々に付勢押込み部３５１が径方向内側に押し戻され、第一シート材３００Ａがガイド部３５７の内周面と付勢押込み部３５１との間で挟圧された状態となっていく。付勢押込み部３５１は、外周面が物品２と同様の円筒状をなすため、谷部３６が物品２に対応する形状となる。
【００５８】
波形の物品仕切部３１が形成された第一シート材３００Ａ’は、切込み３ｂ１，３ｂ２が形成された第二シート材３００Ｂ’と互いの一方の主面を合わせる形で合流する。本実施形態においては、第一シート材３００Ａの谷部３６の裏面３６ｂが、第二シート材３００Ｂの後の載置面３３ａに相当する面と接触するように合流し、その合流点において接着剤塗布部（シート接着手段）３４０により、接触するそれら両面のいずれか又は双方に接着剤を塗布して双方を接着し、接着シート体３００Ｃを形成するように固着される（シート接着工程）。本実施形態においては、回転搬送部（フリーローラ）３４１の外周面に接触する形で送り出される第二シート材３００Ｂ’が、押込みドラム３５０の付勢押込み部３５１により径方向外向きに押し込まれている第一シート材３００Ａ’と接触し、塗布された接着剤により互いが接着固定されて接着シート体３００Ｃとなる。
【００５９】
図１７は、上記第一実施形態の緩衝波ケース３となる接着シート体３００Ｃを示す図であり、図１８は、上記第二実施形態の緩衝波ケース３となる接着シート体３００Ｃを示す図である。符号３３’は後に載置部３３となる部位であり、符号３４’は後に支持脚部３４となる部位であり、符号３２’は後に両端被覆部３２となる部位である。符号３００Ａ’は、波形の物品仕切部３１が形成された第一シート材３００Ａであり、符号３００Ｂ’は、切込み３ｂ１，３ｂ２が形成された後の第二シート材３００である。
【００６０】
接着シート体３００Ｃは、接着後、引き続き押込みドラム３５０によって回転搬送され、その後、押込みドラム３５０から離間して、第一シート材（物品仕切シート材）３００Ａ’に物品２を充填する物品充填機構（物品充填手段）３０１へと搬送される。
【００６１】
なお、物品仕切シート材形成ライン３１０と、両端被覆シート形成準備ライン３２０とは、第一シート材（物品仕切シート材）３００Ａ’と第二シート材（両端被覆シート材）３００Ｂ’とが接着する前までであり、その後は、物品充填や検査などがなされる中間ライン３３０へと引き継がれる。
【００６２】
ここで、物品２の物品充填機構（物品充填手段）３０１への供給ラインについて、図１９〜図２１を用いて説明する。
【００６３】
図１９は、ラベル非貼付の物品（ラベル貼付対象物）２’の供給ライン２００である。物品２は、ここでは内容物が封入された状態でベルトコンベア２０１上に多数まとめて置かれる。ベルトコンベア２０１は、それら多数の物品２’が物品供給ドラム２０２に向けて移動するよう傾斜しており、その傾斜方向にベルトを回転駆動する。物品供給ドラム２０２は、自身の外周面に所定間隔おきに複数設けられた貼付対象保持部（凹部）５２Ａにて物品２’を保持し、保持した物品２’を所定区間まで回転搬送するとともに、その所定区間にて傾倒部材２０３により、回転搬送されている物品２’を、その搬送が進むに伴い滑らかに傾倒させて横転状態とする。そして、横転状態の物品２’を、一定間隔を隔てて搬送するローラコンベア２０４により、貼付ドラム２０６へと搬送される。具体的に言えば、ローラコンベア２０４により搬送された物品２’は、中間搬送ドラム２０５へと受け渡され、受け渡された物品２’がラベル貼付ドラム２０６へと受け渡される。ラベル貼付ドラム２０６は、中間搬送ドラム２０５から受け渡された物品２’を保持し、予め定められた貼付位置まで回転搬送する。
【００６４】
他方、物品２’に貼付されるラベル２０は、帯状（テープ状）の台紙４００’に剥離可能な形で所定間隔おきに複数付着されており、それらラベル２０が付着した台紙が巻き取られてなるラベルロール４００として用意される。ラベルロール４００は、その長手方向へと予め定められた搬送経路に沿って搬送され、印字手段４０３と、印字検査手段４０４，４０５と、剥離手段１１と等を有したラベル搬送ライン４１０を形成する。
【００６５】
ラベルロール４００は、巻出軸部４０２から巻き出され、巻取軸部４０１にて巻き取るよう、予め定められた搬送経路４１０に沿って搬送され、図示しないドライブローラによって送り出される（押し出される）。巻取軸部４０１には、台紙４００’を一定の張力を付与しつつ巻き取るための回転駆動部（トルクモータ）を有する。他方、巻出軸部４０２はフリー回転する軸部である。
【００６６】
印字手段４０３は、所定の印刷がなされたラベル２０上の所定領域に対し、日付などを印字処理するレーザーマーカーである。
【００６７】
印字検査手段４０４は、ラベル表面への表示形成が正しくなされているか否かを検査する。ここでは、印字手段４０３による印字処理により、ラベル２上に正しく印字がなされたか否かを判定する。ここではカメラ等の撮影手段により撮影されたラベル画像を、印字検査手段４０４の制御部の所定記憶部に格納されている基準画像と比較する形で画像一致率を算出し、これが基準一致率（例えば９７％等）を上回るか否かにより印刷不良・外形欠陥・貼付位置欠陥等の不良の有無を判定する。
【００６８】
印字検査手段４０５は、ラベル２０のバーコードやＱＲコード（登録商標）といった情報画像を読み出して、読み出した情報（誤データが書き込まれている等）の不良を判定する。ここでは読取装置がラベル２０上に印刷された情報画像からの情報の読み出しを試み、情報が得られるか否か、得られたならばその情報が予め決められている情報に一致するか否かを判定する。
【００６９】
なお、印字検査手段４０４，４０５での判定結果は、上記主制御手段に送信され、記憶・蓄積される。
【００７０】
剥離手段４０６は、図２０及び図２１に示すように、ラベル搬送ライン４１０上の予め定められた剥離位置にて、搬送されてくる台紙４００’（ラベルロール４００）からラベル２０を剥離するとともに、剥離したラベル２０を、上述したラベル貼付ドラム２０６により貼付位置まで回転搬送された物品２’の表面に向けて送り出す。
【００７１】
本実施形態の剥離手段４０６は、搬送ライン４１０上において、図２１に示すように、ラベル２０の表面を外向きにした状態で台紙４００’を鋭角に折り返す鋭角区間を形成する鋭角区間形成部４０６Ａを有する。台紙４００’が当該鋭角区間の先端部にて鋭角に折り返す際に、ラベル２０は、送り出される自身２の先頭側が鋭角に折り返す際の屈曲に耐えかねて、鋭角に折り返されていく台紙４００’上から剥離する。さらに順次送り出されてくるラベル２０の残余の部分も、送り出されていくに伴い該台紙４００から剥離していく。
【００７２】
剥離したラベル２０は、ラベル貼付ドラム２０６に保持された物品２’の表面に接触するよう、ラベル貼付ドラム２０６の外周側から押付部４０６Ｃにより押し付けられる。この押付部４０６Ｃは、ラベル貼付ドラム２０６の貼付位置において、ラベル貼付ドラム２０６の物品搬送方向（剥離したラベル２０の送り出し方向）へと回転するベルト４０６Ｂを表面に有する。他方、ラベル貼付ドラム２０６は、物品２’を２つのフリーローラで挟持する形で位置保持しつつ吸引により吸着保持している。ラベル２０が物品２’の表面に接触する際には、押付部４０６Ｃのベルト４０６Ｂが回転するため、押付部４０６Ｃは、ラベル２０を物品２’の表面に押し付けて貼付しつつ物品２’をフリーローラ上で回転させることになり、ラベル２０を物品２’の外周表面に完全に貼付する。このように、剥離手段４０６と、ラベル貼付ドラム２０６と、ベルト４０６Ｂを回転させる押付部４０６Ｃとを有する形でラベル貼付機構が構成されている。
【００７３】
ラベル２０が貼付された物品２は、ラベル貼付ドラム２０６から物品充填ドラム３０２へと受け渡され、物品充填ドラム３０２から、上述の接着シート体３００Ｃの隣接する物品仕切部３１間へと順次充填される。物品２が充填された接着シート体３００Ｃは、中間ライン３３０の下流へと搬送され、検査手段３０７による検査を受け、その後、切断手段３０８により予め定められた長さで順次切断されて、接着シート体３００Ｄとなる（切断工程）。
【００７４】
検査手段３０７は、ラベル２０及び物品２’に対する最終検査を実施する。ここでは、カメラ等の撮影手段による撮影画像から、ラベル２０の不良（破損や未貼付等）、物品２’の不良（破損や欠品）を判定する。判定結果は、上記主制御手段に送信され、記憶・蓄積される。
【００７５】
切断手段３０８は、上記のケース体４内に収納可能で、かつ所定収納数の物品２が収納されるよう定められた基準長さで、送り出されてくる接着シート体３００Ｃを順次切断する。ここでは、接着シート体３００Ｃに充填される物品２が、所定収納数だけ連続で充填された後に１つの未充填とされるので、その未充填部分が中央で切断される。また、精度よく切断するために、切断手段３０８は、送り出されてくる接着シート体３００Ｃを追従するよう追従駆動する駆動部を有し、接着シート体３００Ｃと相対速度を合わせた上で狙いの位置を切断するように構成されている。なお、この切断により、接着シート体３００Ｄにおける第一シート材３００Ａ’であったシート部分は、上述した物品仕切りシート３Ａとなり、第二シート材３００Ｂ’であったシート部分は、切込み３ｂ１，３ｂ２を有するものの曲げが生じていない平坦シート３Ｂ’となる。
【００７６】
切断された接着シート体３００Ｄは、最終ライン３４０の両端被覆シート形成手段５００により、平坦シート３Ｂ’が、載置部３３と両端被覆部３２と支持脚部３４とを有するよう折り曲げられて、上述した両端被覆シート３Ｂが形成され、緩衝波ケース３が完成する（両端被覆シート形成工程）。
【００７７】
本実施形態における両端被覆シート形成手段５００は、平坦シート３Ｂ’に対し、その幅方向中央を載置部３３とし、その幅方向の両側にそれぞれ、該載置部３３の側（内側）から外側に向けて順次折り曲げを行っていくものであり、順次逆向きに折り返す形で折り曲げられていく。具体的に言えば、両端被覆シート形成手段５００は、平坦シート３Ｂ’に対し、その幅方向中央を載置部３３とし、その幅方向の両側にそれぞれ第一の折目３Ｂ１を形成する形で折り曲げる第一折り曲げ手段５１０と、さらにその第一の折目３Ｂ１よりも該幅方向の外側となる位置にそれぞれ第二の折目３Ｂ２を形成する形で第一折り曲げ手段５１０とは逆に折り曲げる第二折り曲げ手段５２０と、を有する。なお、各折り曲げは、切込み３ｂ１，３ｂ２に沿って、切込み３ｂ１，３ｂ２とは逆側に屈曲するよう折り曲げられる。
【００７８】
図２２は、上記第一実施形態の緩衝波ケース３となる切断後の接着シート体３００Ｄに対する両端被覆シート形成手段５００による折り曲げを順に説明する図である。
【００７９】
切断後の接着シート体３００Ｄは、物品仕切りシート３Ａの両側から平坦シート３Ｂ’が広がる形状をなしており、その広がり部分が平坦な摺動面５３０上を摺動する形で搬送されてくる。
【００８０】
第一折り曲げ手段５１０は、物品仕切りシート３Ａの下側となる平坦シート３Ｂ’の中央部を、上記摺動面５３０から続く形で下側から支持する平坦な摺動面５３０を有する一方で、物品仕切りシート３Ａの幅方向両側（外側）となる位置で、かつその平坦な摺動面５３０よりも上方の位置から、下方を臨む外縁部５１１がシート体搬送方向に向けて摺動面５３０よりも下方となる所定位置へと滑らかに下方延出する下方折り曲げ部５１１を有する。平坦シート３Ｂ’が搬送されてくると、上記広がり部分がこの外縁部５１１上を摺動して下方に押し下げられることにより、切込み３ｂ１に沿って折れ曲がっていく。さらに第一折り曲げ手段５１０は、下方折り曲げ部５１１の下端縁位置まで達するとそこからさらに滑らかに続く形で、その外縁部５１１の下端縁位置がシート体搬送方向に向けてその高さが保持されたまま内側に寄っていき、最終的に物品仕切りシート３Ａの幅方向両端縁位置まで到達する垂直折り曲げ部５１２を有する。これにより、下方に押し下げられた上記広がり部分がシート体搬送方向（載置面３３ａ）に対し垂直となるまで押し下げられる。
【００８１】
第二折り曲げ手段５２０は、物品仕切りシート３Ａの下側となる平坦シート３Ｂ’の中央部を、上記摺動面５３０から続く形で下側から支持する平坦な摺動面５３０を有する一方で、垂直折り曲げ部５１２の一部にオーバーラップする位置から始まり、まずは物品仕切りシート３Ａの幅方向両端よりも内となる位置で、かつ垂直に折り曲がった上記広がり部分の下端縁位置よりも上方で切れ目３ｂ２よりも下方の位置から、外側を臨む内縁部５２１の外端縁位置がシート体搬送方向に向けてその高さが保持されたまま外側へと広がっていく第一上方折り曲げ部５２１を有する。これにより、平坦シート３Ｂ’が搬送されてくると、垂直下方に押し下げられた上記広がり部分のうち、切込み３ｂ２よりも外側となる外側部分が、切込み３ｂ２に沿って上方に折り曲げられる。さらに第二折り曲げ手段５２０は、第一上方折り曲げ部５２１の外端縁位置まで達するとそこからさらに滑らかに続く形で、その外縁部５２２の外端縁位置がシート体搬送方向に向けてその幅方向における位置が保持されたまま滑らかに上方に延出していき、最終的に平坦シート３Ｂの切込み３ｂ２よりも上方となる位置まで到達する第二折り曲げ部５２２を有する。これにより、切込み３ｂ２よりも外側となる外側部分が、切込み３ｂ２に沿ってさらに上方に折り曲げられる。さらに第二折り曲げ手段５２０は、第二折り曲げ部５２２の上端縁位置まで達するとそこからさらに滑らかに続く形で、その上端縁位置がシート体搬送方向に向けてその高さが保持されたまま、その上端縁位置において内側を臨む内縁部５２３の内端縁位置が内側へと寄っていき、最終的に物品仕切りシート３Ａの幅方向両端縁位置まで到達させる垂直折り曲げ部５２３を有する。これにより、上方に押し下げられた上記広がり部分の切込み３ｂ２よりも外側となる外側部分が、シート体搬送方向（載置面３３ａ）に対し垂直となるまで押し上げられる。これにより、第一実施形態のＷ型の緩衝波ケース３（物品２を収容済）が形成される。
【００８２】
図２３は、上記第二実施形態の緩衝波ケース３となる切断後の接着シート体３００Ｄに対する両端被覆シート形成手段５００による折り曲げを順に説明する図である。
【００８３】
切断後の接着シート体３００Ｄは、物品仕切りシート３Ａの両側から平坦シート３Ｂ’が広がる形状をなしており、その広がり部分が平坦な摺動面５３０上を摺動する形で搬送されてくる。
【００８４】
第一折り曲げ手段５１０は、物品仕切りシート３Ａの下側となる平坦シート３Ｂ’の中央部を、上記摺動面５３０から続く形で下側から支持する平坦な摺動面５３０を有する一方で、物品仕切りシート３Ａの幅方向両側（外側）となる位置で、かつその平坦な摺動面５３０よりも下方の位置から、上方を臨む外縁部５１１がシート体搬送方向に向けて摺動面５３０よりも上方となる所定位置へと滑らかに上方延出する上方折り曲げ部５１１を有する。平坦シート３Ｂ’が搬送されてくると、上記広がり部分がこの外縁部５１１上を摺動して上方に押し上げられることにより、切込み３ｂ１に沿って折れ曲がっていく。さらに第一折り曲げ手段５１０は、上方折り曲げ部５１１の上端縁位置まで達するとそこからさらに滑らかに続く形で、その外縁部５１１の下端縁位置がシート体搬送方向に向けてその高さが保持されたまま内側に寄っていき、最終的に物品仕切りシート３Ａの幅方向両端縁位置まで到達する垂直折り曲げ部５１２を有する。これにより、上方に押し上げられた上記広がり部分がシート体搬送方向（載置面３３ａ）に対し垂直となるまで押し上げられる。
【００８５】
第二折り曲げ手段５２０は、物品仕切りシート３Ａの下側となる平坦シート３Ｂ’の中央部を、上記摺動面５３０から続く形で下側から支持する平坦な摺動面５３０を有する一方で、垂直折り曲げ部５１２の一部にオーバーラップする位置から始まり、まずは物品仕切りシート３Ａの幅方向両端よりも内となる位置で、かつ垂直に折り曲がった上記広がり部分の上端縁位置よりも下方で切れ目３ｂ２よりも上方の位置から、外側を臨む内縁部５２１の外端縁位置がシート体搬送方向に向けてその高さが保持されたまま外側へと広がっていく第一下方折り曲げ部５２１を有する。これにより、平坦シート３Ｂ’が搬送されてくると、垂直上方に押し上げられた上記広がり部分のうち、切込み３ｂ２よりも外側となる外側部分が、切込み３ｂ２に沿って下方に折り曲げられる。さらに第二折り曲げ手段５２０は、第一下方折り曲げ部５２１の外端縁位置まで達するとそこからさらに滑らかに続く形で、その外縁部５２２の外端縁位置がシート体搬送方向に向けてその幅方向における位置が保持されたまま滑らかに下方に延出していき、最終的に平坦シート３Ｂの切込み３ｂ２よりも下方となる位置まで到達する第二折り曲げ部５２２を有する。これにより、切込み３ｂ２よりも外側となる外側部分が、切込み３ｂ２に沿ってさらに下方に折り曲げられる。さらに第二折り曲げ手段５２０は、第二折り曲げ部５２２の下端縁位置まで達するとそこからさらに滑らかに続く形で、その下端縁位置がシート体搬送方向に向けてその高さが保持されたまま、その下端縁位置において内側を臨む内縁部４２３の内端縁位置が内側へと寄っていき、最終的に物品仕切りシート３Ａの幅方向両端縁位置まで到達させる垂直折り曲げ部５２３を有する。これにより、下方に押し下げられた上記広がり部分の切込み３ｂ２よりも外側となる外側部分が、シート体搬送方向（載置面３３ａ）に対し垂直となるまで押し下げられる。これにより、第一実施形態のＭ型の緩衝波ケース３（物品２を収容済）が形成される。
【００８６】
なお、本実施形態の最終ライン３４０は、検査手段３０７による検査の結果、不良と判定された物品２を収容する緩衝波ケース３を不良品として排出する不良品排出手段５４０を有する。本実施形態の不良品排出手段５４０は、図２４に示すように、両端被覆シート形成手段５００において接着シート体３００Ｄを下方から支持する支持部５４０を下方に開くことにより、支持していた接着シート体３００Ｄを下方に排出するよう構成されている。
【００８７】
以上、本発明の一実施形態を説明したが、これはあくまでも例示にすぎず、本発明はこれに限定されるものではなく、特許請求の範囲の趣旨を逸脱しない限りにおいて、当業者の知識に基づく種々の変更が可能である。
【００８８】
上記実施形態の緩衝波ケース製造装置１００は、最終ライン３４０を緩衝波ケース搬送ラインとして、その下流に、緩衝波ケース搬送ライン３４０から順次送り出されてくる、物品２が充填された緩衝波ケース３を、ケース体４の筒状空間４０内に、それら物品２の並び方向に沿って挿入して収容する収容手段を設けた物品収容ケース１の製造装置としてもよい。
【００８９】
この場合、図２５及び図２６に示すように、収容手段は、物品２が充填された緩衝波ケース３を、それら物品２の並び方向に沿ってケース体４の筒状空間４０内に挿入する緩衝波ケース挿入手段と、その挿入の際に両端被覆シートに形成された折り曲げ部すべてを、前記載置部側に向けて外側から押し付けて、緩衝波ケース３がケース体４の筒状空間４０内に挿入可能となるよう当該折り曲げ部の折り曲げ角度を減じる押付手段７００と、を備えて構成できる。
【符号の説明】
【００９０】
１  物品収容ケース、２  物品、３  緩衝波ケース、３Ａ  物品仕切りシート、３Ｂ  両端被覆シート、３１  物品仕切部、３２  両端被覆部、３３  載置部、３４  支持脚部、５  空間。
【図１】
2014058342.tif 000003
【図２】
2014058342.tif 000004
【図３】
2014058342.tif 000005
【図４】
2014058342.tif 000006
【図５】
2014058342.tif 000007
【図６】
2014058342.tif 000008
【図７】
2014058342.tif 000009
【図８】
2014058342.tif 000010
【図９】
2014058342.tif 000011
【図１０】
2014058342.tif 000012
【図１１】
2014058342.tif 000013
【図１２】
2014058342.tif 000014
【図１３】
2014058342.tif 000015
【図１４】
2014058342.tif 000016
【図１５】
2014058342.tif 000017
【図１６】
2014058342.tif 000018
【図１７】
2014058342.tif 000019
【図１８】
2014058342.tif 000020
【図１９】
2014058342.tif 000021
【図２０】
2014058342.tif 000022
【図２１】
2014058342.tif 000023
【図２２】
2014058342.tif 000024
【図２３】
2014058342.tif 000025
【図２４】
2014058342.tif 000026
【図２５】
2014058342.tif 000027
【図２６】
2014058342.tif 000028